(57)【要約】      （修正有）【課題】顧客のニーズに合わせた選択と、トラックレコードの確認を容易にできるシステムを提供する。【解決手段】ステップ１（Ｓ１）で市場データベースから所望期間のデータが抽出され、Ｓ２で投資対象の値ｎと取引手法の値ｍがリセットされる。Ｓ３で複数の商品としての売買プログラムに従って、上述の抽出されたデータの売買がシミュレートされることにより、バックテストが行われる。Ｓ４でシミュレートされた売買の結果に応じてトラックレコードが作成され、Ｓ５で作成されたトラックレコードが記憶される。Ｓ６で全取引手法について処理が完了したか否か判断され、完了していないときは、Ｓ７で値ｍがインクリメントされてＳ３に戻される。処理が完了しているときは、Ｓ８で全投資対象について処理が完了したか否か判断され、完了していないときはＳ９で値ｎがインクリメントされてＳ３に戻される。そして処理が完了しているときは処理が終了される。【選択図】図３
2005182513.tif 000002
【特許請求の範囲】
【請求項１】
情報出力手段を有する端末装置と各種市場のデータ記憶装置とサーバシステムとがネットワークを通じて接続され、
前記サーバシステムには、
前記端末装置を所有する顧客のデータベースと、
前記データ記憶装置からのデータを記憶する市場データベースと、
前記市場データベースから任意の期間のデータを抽出する手段と、
前記抽出されたデータに基づいて複数の商品としての売買プログラムに従った売買をシミュレートする手段と、
前記シミュレートされた売買の損益結果からトラックレコードを作成する手段と、
前記端末装置に入力される顧客のニーズに応じて前記複数の売買プログラムによるトラックレコードの所定の項目をソートして前記売買プログラムの順位を決定する手段と、
前記決定された順位に従って前記複数の売買プログラムによるトラックレコードを前記顧客に提示する手段とが設けられる
ことを特徴とする市場取引支援システム。
【請求項２】
情報出力手段を有する端末装置と各種市場のデータ記憶装置とがネットワークを通じて接続される市場取引支援装置であって、
前記ネットワークを通じて接続される端末装置を所有する顧客のデータベースと前記ネットワークを通じて接続されるデータ記憶装置からのデータを記憶する市場データベースとが設けられ、
前記市場データベースから任意の期間のデータを抽出する手段と、
前記抽出されたデータに基づいて複数の商品としての売買プログラムに従った売買をシミュレートする手段と、
前記シミュレートされた売買の損益結果からトラックレコードを作成する手段と、
前記端末装置に入力される顧客のニーズに応じて前記複数の売買プログラムによるトラックレコードの所定の項目をソートして前記売買プログラムの順位を決定する手段と、
前記決定された順位に従って前記複数の売買プログラムによるトラックレコードを前記顧客に提示する手段とを有する
ことを特徴とする市場取引支援装置。
【請求項３】
情報出力手段を有する端末装置と各種市場のデータ記憶装置とサーバシステムとがネットワークを通じて接続されたシステムに用いられる市場取引支援方法であって、
前記データ記憶装置から任意の期間のデータを抽出し、
前記抽出されたデータに基づいて複数の商品としての売買プログラムに従った売買をシミュレートし、
前記シミュレートされた売買の損益結果からトラックレコードを作成すると共に、
前記端末装置に入力される顧客のニーズに応じて前記複数の売買プログラムによるトラックレコードの所定の項目をソートして前記売買プログラムの順位を決定し、
前記決定された順位に従って前記複数の売買プログラムによるトラックレコードを前記端末装置に提示する手順を前記サーバシステムに設ける
ことを特徴とする市場取引支援方法。
【請求項４】
情報出力手段を有する端末装置と各種市場のデータ記憶装置とサーバシステムとがネットワークを通じて接続されたシステムに用いられる市場取引支援プログラムであって、
前記データ記憶装置から任意の期間のデータを抽出する手段と、
前記抽出されたデータに基づいて複数の商品としての売買プログラムに従った売買をシミュレートする手段と、
前記シミュレートされた売買の損益結果からトラックレコードを作成する手段と、
前記端末装置に入力される顧客のニーズに応じて前記複数の売買プログラムによるトラックレコードの所定の項目をソートして前記売買プログラムの順位を決定する手段と、
前記決定された順位に従って前記複数の売買プログラムによるトラックレコードを前記端末装置に提示する手段としての機能を実現させる
ことを特徴とする市場取引支援プログラム。
【発明の詳細な説明】
【技術分野】
【０００１】
本発明は、例えば投資情報の提供に使用して好適な市場取引支援システム、装置、方法及びプログラムに関する。詳しくは、顧客に対する情報の提供を、恣意的な基準を設けることなく、より正確に行うことができるようにしたものである。
【背景技術】
【０００２】
従来の投資情報の提供では、例えば商品の比較が成功率で順位付けられており、単純な結果が提供されるようにしている（例えば、特許文献１参照。）。
【０００３】
しかしながら、投資において商品の価値は単純な成功率だけの問題ではなく、特に上述の技術では、本願発明のように、顧客に対する情報の提供を、恣意的な基準を設けることなく、より正確に行うことについては記載されていないものである。
【特許文献１】特開２００２−２４５２５２号公報
【発明の開示】
【発明が解決しようとする課題】
【０００４】
金融、物品などの市場取引を、インターネット等の情報通信ネットワークを用いて行うシステムが実用化されている。すなわち、このような金融、物品などの市場取引は、一般の人にも公開されているものである。しかしながら、現実には、そのようなシステムを用いて一般の人が直接投資を行うことには、多くのリスクが存在し、また常に市場の動きを監視していなければならないなど、いろいろな困難が存在する。そこでそのような取引について、任意の方針に従って売買を代行し、利潤を分配する商品が販売されている。
【０００５】
このような商品は、例えば投資会社によって販売されるものであり、それぞれの会社の独自の方針に従って、金融、物品などの市場での売買が行われてその利潤が分配される。しかしながらこのような各会社に独自の売買等の方針は複雑なものであり、一般の人には容易に理解できるものではない。このため従来は、投資会社そのものの信頼性などで商品の購入が決定されているものであり、これでは購入者の意図が充分に反映されているとは言えないものであった。
【０００６】
そこでこれらの商品の投資情報を、一般の人の解り易く提供するための市場取引支援システム、装置、方法及びプログラムが提案されている。すなわち、上述の特許文献１に示された方法では、複数の取引対象銘柄について、複数の指標に関する指標値を求めて更新し、前記指標値算出手段により更新された指標値に基づいて、指標別に、前記複数の各取引対象銘柄をランク付けして記憶し、記憶されている複数の銘柄の中から、ランクに基づいて特定の銘柄を抽出して、利用者に提示するようにしたものである。
【０００７】
しかしながらこの方法は、最終的に、ランクを、指標の現時点での値を求め、各取引対象銘柄について、得られた指標値が過去に得られたタイミングで取引を行った場合に、所定の期待値が得られる確率を求め、その確率に基づいて設定するものである。つまり、商品の価値を単純な成功率に求めているものである。
【０００８】
ところが、実際の投資の取引を行う場合にあっては、例えば１００回の取引で９９回失敗しても、１回の成功で儲かることもあり、逆に９９回成功しても１回の失敗で損をしてしまう場合もある。従って、上述のように単純な成功率だけを用いていたのでは、充分に正確な情報を提供しているとはいえないものである。
【０００９】
また、上述の特許文献１に示された方法では、ランクを所定の期待値が得られる確率で決めているが、ここで所定の期待値とは、情報の提供者が任意に定めることができるものであり、例えば期待値を低くして成功率を高めるなど、その期待値の決め方によって結果を左右することが可能である。そしてこのように、結果を恣意的に左右できる情報では、必ずしも正確な情報を提供しているとはいえないものである。
【００１０】
この出願はこのような点に鑑みて成されたものであって、解決しようとする問題点は、従来の方法では、所定の期待値が得られる確率を求めてランクを決定しているものであり、これでは結果を恣意的に左右できるなど、必ずしも充分に正確な情報を提供しているとはいえなかったというものである。
【課題を解決するための手段】
【００１１】
このため本発明においては、市場データベースから任意の期間のデータを抽出し、抽出されたデータに基づいて複数の商品としての売買プログラムに従った売買をシミュレートし、シミュレートされた売買の損益結果からトラックレコードを作成すると共に、顧客のニーズに応じてトラックレコードの所定の項目をソートして売買プログラムの順位を決定し、決定された順位に従って複数の売買プログラムによるトラックレコードを顧客に提示するようにしたものであって、これによれば、顧客のニーズに合わせた選択が行われると共に、顧客はトラックレコードから所望の項目を確認することができる。
【発明の効果】
【００１２】
請求項１の発明によれば、情報出力手段を有する端末装置と各種市場のデータ記憶装置とサーバシステムとがネットワークを通じて接続され、サーバシステムには、端末装置を所有する顧客のデータベースと、データ記憶装置からのデータを記憶する市場データベースと、市場データベースから任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして売買プログラムの順位を決定する手段と、決定された順位に従って複数の売買プログラムによるトラックレコードを顧客に提示する手段とが設けられることによって、良好な市場取引支援システムを提供することができるものである。
【００１３】
また、請求項２の発明によれば、情報出力手段を有する端末装置と各種市場のデータ記憶装置とがネットワークを通じて接続される市場取引支援装置であって、ネットワークを通じて接続される端末装置を所有する顧客のデータベースとネットワークを通じて接続されるデータ記憶装置からのデータを記憶する市場データベースとが設けられ、市場データベースから任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして売買プログラムの順位を決定する手段と、決定された順位に従って複数の売買プログラムによるトラックレコードを顧客に提示する手段とを有することによって、良好な市場取引支援装置を提供することができるものである。
【００１４】
請求項３の発明によれば、情報出力手段を有する端末装置と各種市場のデータ記憶装置とサーバシステムとがネットワークを通じて接続されたシステムに用いられる市場取引支援方法であって、データ記憶装置から任意の期間のデータを抽出し、抽出されたデータに基づいて複数の商品としての売買プログラムに従った売買をシミュレートし、シミュレートされた売買の損益結果からトラックレコードを作成すると共に、端末装置に入力される顧客のニーズに応じて複数の売買プログラムによるトラックレコードの所定の項目をソートして売買プログラムの順位を決定し、決定された順位に従って複数の売買プログラムによるトラックレコードを端末装置に提示する手順をサーバシステムに設けることによって、良好な市場取引支援方法を提供することができるものである。
【００１５】
さらに請求項４の発明によれば、情報出力手段を有する端末装置と各種市場のデータ記憶装置とサーバシステムとがネットワークを通じて接続されたシステムに用いられる市場取引支援プログラムであって、データ記憶装置から任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして前記売買プログラムの順位を決定する手段と、決定された順位に従って複数の売買プログラムによるトラックレコードを端末装置に提示する手段としての機能を実現させることによって、良好な市場取引支援プログラムを提供することができるものである。
【発明を実施するための最良の形態】
【００１６】
以下、図面を参照して本発明を説明するに、図１は本発明による市場取引支援システム、装置、方法及びプログラムを適用した市場取引支援システムの一実施形態の全体を示す構成図である。
【００１７】
図１において、例えばインターネットのような情報通信ネットワーク１００に、顧客の所有する利用者端末装置２０１、２０１，２０２・・・と、各種市場、例えば金融市場におけるデータ供給会社等が設置したデータ記憶装置３００とが接続される。そしてこの情報通信ネットワーク１００に、本発明の根幹となるサーバシステム１を構成するウェブサーバ１１が接続される。
【００１８】
さらにウェブサーバ１１には、アプリケーションサーバ１２とデータベースサーバ１３が接続される。また、データベースサーバ１３には、顧客情報のデータベース２１、市場情報のデータベース２２、商品情報のデータベース２３が接続される。そしてこれらのデータベース２１〜２３に記憶されたデータと、アプリケーションサーバ１２に記憶された処理プログラムを用いて、市場取引の支援情報の作成が行われる。
【００１９】
そこで、図２には、図１のシステムを用いた場合の商品購入までのプロセスを説明する。すなわち図２において、顧客の所有する利用者端末装置２０１、２０１、２０２・・・から、サーバシステム１へのアクセスが行われると、最初に符号Ｐ１に示すようなメインメニューが表示される。このメインメニューＰ１には、例えば(１)「優先度診断」、(２)「ランキング検索」、(３)「ダイレクト検索」の選択肢が表示され、それぞれの選択肢がクリックされることにより、選択が行われる。
【００２０】
ここでメインメニューＰ１から(１)「優先度診断」が選択された場合には、符号Ｐ２に示すような例えばＡＨＰ（Analytic Hierarchy Process）分析のトップ画面が表示される。このＡＨＰ分析では、トップ画面Ｐ２や符号Ｐ３に示すような設問画面を用いて、いわゆる階層構造の設問を用いた分析が行われる。なお、設問画面Ｐ３は複数が設けられていてもよい。そして、これらの設問の解答から分析された優先項目の順位が、例えば符号Ｐ４に示すような結果の画面として表示される。さらに検索ボタンのクリックにより検索が行われる。
【００２１】
また、メインメニューＰ１から(２)「ランキング検索」が選択された場合には、例えば符号Ｐ５に示すような検索方法の選択画面が表示される。この選択画面Ｐ５では、例えば(１)「優先順位で選ぶ」、(２)「市場・銘柄で選ぶ」の選択肢が表示される。そして、(１)「優先順位で選ぶ」の選択肢が選択された場合には、例えば符号Ｐ６に示すような「優先順位で検索」の画面が表示される。また、(２)「市場・銘柄で選ぶ」の選択肢が選択された場合には、例えば符号Ｐ７に示すような「市場・銘柄で検索」の画面が表示される。
【００２２】
さらに「優先順位で検索」の画面Ｐ６には、例えば(１)「最優先される項目」、(２)「２番目の優先項目」、(３)「３番目の優先項目」などの選択項目が表示され、それぞれプルダウン形式で選択が行われる。また、「市場・銘柄で検索」の画面Ｐ７には、例えば(１)「投資対象市場・銘柄」、(２)「優先項目（その１）」、(３)「
優先項目（その２）」などの選択項目が表示され、それぞれプルダウン形式で選択が行われる。そして検索ボタンのクリックにより検索が行われる。
【００２３】
以上の操作により、画面Ｐ４、Ｐ６、Ｐ７で検索ボタンのクリックが行われると、それぞれ設定された優先項目に従って商品の検索が行われる。そして検索された結果が符号Ｐ８の「検索結果ｂｅｓｔ５」の画面に表示される。ここで表示された商品名のクリックにより、購入しようとする商品が選択される。さらに予め購入しようとする商品が決まっている場合には、メインメニューＰ１の (３)「ダイレクト検索」で選択される「商品コード入力」の画面Ｐ９で、その商品を特定するコードが入力される。
【００２４】
そして符号Ｐ１０の「トラックレコード」の画面では、選択された商品のトラックレコードが表示され、その内容に納得した場合には、「購入する」の選択肢がクリックされることにより符号Ｐ１１の「課金画面」が表示されて送金の指示が行われる。また、その他の選択を行う場合には、「ログイン」の選択肢がクリックされることにより符号Ｐ１２の「ログイン」の画面が表示されて、ＩＤやパスワードの入力が行われる。このようなプロセスで、図１のシステムを用いた場合の商品購入が行われる。
【００２５】
さらに上述のプロセスで、「検索結果ｂｅｓｔ５」の画面に表示される商品の検索が、以下のように行われる。まず、図３には、トラックレコード算出プロセスを示す。この図３において、処理が開始されると、最初のステップ〔１〕で、市場情報データベース２２から所望期間のデータが抽出される。またステップ〔２〕で、投資対象の値ｎと取引手法の値ｍが、数値“１”にリセットされる。
【００２６】
次に、ステップ〔３〕でバックテストが実行される。ここでは、例えばアプリケーションサーバ１２に設けられている複数の商品としての売買プログラムに従って、上述の市場情報データベース２２に記憶されたデータの売買がシミュレートされることにより、バックテストが行われる。続いて、ステップ〔４〕でシミュレートされた売買の結果に応じてトラックレコードが作成される。そしてステップ〔５〕で作成されたトラックレコードが商品データベース２３に記憶される。
【００２７】
さらにステップ〔６〕で全取引手法について処理が完了したか否か判断される。そして、完了していないとき〔ＮＯ〕はステップ〔７〕で値ｍがインクリメントされてステップ〔３〕に戻される。また、ステップ〔６〕で処理が完了しているとき〔ＹＥＳ〕は、さらにステップ〔８〕で全投資対象について処理が完了したか否か判断される。そして、完了していないとき〔ＮＯ〕はステップ〔９〕で値ｎがインクリメントされてステップ〔３〕に戻される。また、ステップ〔８〕で処理が完了しているとき〔ＹＥＳ〕は処理が終了される。
【００２８】
そしてこのトラックレコード算出プロセスにおいて、ステップ〔３〕でのバックテストの実行が以下のように行われる。すなわち図４に示す表において、Ａ〜Ｇ欄には金融市場データ供給会社のデータ記憶装置から抽出されたデータがコピーされる。ここで、Ａ欄は日付、Ｂ欄は時刻、Ｃ欄は始値、Ｄ欄は高値、Ｅ欄は低値、Ｆ欄は終値、Ｇ欄は取引高である。
【００２９】
さらにこれらのＡ〜Ｇ欄の値から、右のＨ〜Ｘ欄に示される値が、以下の式によって求められる。
H[s]=IF(AND(D[s]>MAX(D[s-10]:D[s-1]),C[s]>F[s]),"dn",IF(AND(E[s]<MIN(E[s-10]:E[s-1]),C[s]<F[s]),"up",""))
I[s]=IF(H[s]="up",D[s],IF(H[s]="dn",E[s],""))
J[s]=IF(H[s]="up",E[s],IF(H[s]="dn",D[s],""))
【００３０】
K[s]=IF(AND(H[s-1]="up",D[s]>D[s-1]),"B",IF(AND(H[s-1]="dn",E[s]<E[s-1]),"S",""))
L[s]=IF(K[s]="","",I[s-1])
M[s]=IF(K[s]="","",J[s-1])
N[s]=IF(K[s]="B",L[s]-M[s],IF(K[s]="S",M[s]-L[s],""))
O[s]=IF(K[s]="B",L[s]+N[s]*O$4,IF(K[s]="S",L[s]-N[s]*O$4,""))
【００３１】
P[s]=IF(K[s]="B",1,IF(K[s]="S",-1,SUM(P[s-1],S[s-1],U[s-1])))
Q[s]=IF(P[s-1]<>P[s],L[s],Q[s-1])
R[s]=IF(OR(K[s]="B",K[s]="S"),M[s],IF(AND(P[s-1]=P[s],P[s]<>0),R[s-1],""))
S[s]=IF(AND(P[s]=1,E[s]<R[s]),-1,IF(AND(P[s]=-1,D[s]>R[s]),1,""))
T[s]=IF(P[s-1]<>P[s],O[s],T[s-1])
U[s]=IF(AND(P[s]=1,D[s]>T[s]),-1,IF(AND(P[s]=-1,E[s]<T[s]),1,""))
【００３２】
V[s]=IF(S[s]<>"",(R[s]-Q[s])*P[s],"")
W[s]=IF(U[s]<>"",(T[s]-Q[s])*P[s],"")
X[s]=IF(AND(P[s-1]+P[s]=0,P[s]<>0),(Q[s]-Q[s-1])*P[s-1],"")
【００３３】
すなわち上述の図４において、Ｈ〜Ｕ欄は、任意の売買プログラムに従ったものであり、ここでは以下の条件に従って売買が行われている。
◎「売り」の取引開始条件
区間ｔの高値が直近の過去１０区間の最高値より高いにもかかわらず、
区間ｔの終値は始値を下回り、
次の区間、つまり区間(t＋1)で区間ｔの安値を下回った場合
【００３４】
◎「売り」の取引終了条件
１．区間ｔの安値を基準に、区間ｔの値幅分（高値−安値）下落した場合
２．区間ｔの高値を上回った場合
３．上記１または２を満たす前に、「買い」の取引開始条件が満たされた場合
【００３５】
◎「買い」の取引開始条件
区間ｔの安値が直近の過去１０区間の最安値より低いにもかかわらず、
区間ｔの終値は始値を上回り、
次の区間、つまり区間(t＋1)で区間ｔの高値を上回ったら、区間ｔの高値で「買い」
【００３６】
◎「買い」の取引終了条件
１．区間ｔの高値を基準に、区間ｔの値幅分（高値−安値）上昇した場合
２．区間ｔの安値を下回った場合
３．上記１または２を満たす前に、「売り」の取引開始条件が満たされた場合
【００３７】
これにより、例えば
◎Ｈ欄で「dn」が表示される条件
１．その区間の高値が直近の過去１０区間の最高値より高い
２．その区間の終値が始値を下回っている
【００３８】
◎Ｈ欄で「up」が表示される条件
１．その区間の安値が直近の過去１０区間の最安値より安い
２．その区間の終値が始値を上回っている
となるものである。
【００３９】
さらにこれらのＨ〜Ｕ欄の算出結果から、Ｖ〜Ｘ欄に示すトラックレコードが作成される。また、作成されたトラックレコードは、例えば図５に示すような形態で、商品情報データベース２３に記憶される。なおこの図５では、各種の投資対象に対して、それぞれ複数の取引手法でシミュレートされた結果が示されている。そして、このようにして商品情報データベース２３に記憶されたトラックレコードは、要求に応じて顧客の所有する利用者端末装置２０１、２０１、２０２を通じて、顧客に提示される。
【００４０】
なお、図６には、図２に示した「トラックレコード」の画面Ｐ１０の具体例を示す。この図６においては、選択された商品のトラックレコードの概要が表示されている。そして画面の下部には、図２に示した「購入する」の選択肢に相当する「この商品を購入する」のボタンが設けられると共に、例えば「詳細な結果を表示する」や「検索結果に戻る」「メインメニューに戻る」のボタンが設けられる。また、画面の上部には、「チャート表示する」のボタンが設けられている。
【００４１】
そして「詳細な結果を表示する」のボタンがクリックされた場合には、例えば図７に示すようなトラックレコードの詳細が表示される。また、「チャート表示する」のボタンがクリックされた場合には、例えば図８に示すようなチャートが表示される。このようにして顧客は、各種の詳細な情報を診ることができる。
【００４２】
従ってこの実施形態において、市場データベースから任意の期間のデータを抽出し、抽出されたデータに基づいて複数の商品としての売買プログラムに従った売買をシミュレートし、シミュレートされた売買の損益結果からトラックレコードを作成すると共に、顧客のニーズに応じてトラックレコードの所定の項目をソートして売買プログラムの順位を決定し、決定された順位に従って複数の売買プログラムによるトラックレコードを顧客に提示するようにしたことによって、顧客のニーズに合わせた選択が行われると共に、顧客はトラックレコードから所望の項目を確認することができる。
【００４３】
これによって、従来の方法では、所定の期待値が得られる確率を求めてランクを決定しているものであり、これでは結果を恣意的に左右できるなど、必ずしも充分に正確な情報を提供しているとはいえなかったものを、本発明によればこれらの問題点を容易に解消することができるものである。
【００４４】
こうして上述の市場取引支援システムによれば、情報出力手段を有する端末装置と各種市場のデータ記憶装置とサーバシステムとがネットワークを通じて接続され、サーバシステムには、端末装置を所有する顧客のデータベースと、データ記憶装置からのデータを記憶する市場データベースと、市場データベースから任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして売買プログラムの順位を決定する手段と、決定された順位に従って複数の売買プログラムによるトラックレコードを顧客に提示する手段とが設けられることにより、顧客のニーズに合わせた選択が行われると共に、顧客はトラックレコードから所望の項目を確認することができるものである。
【００４５】
また、上述の市場取引支援装置によれば、情報出力手段を有する端末装置と各種市場のデータ記憶装置とがネットワークを通じて接続される市場取引支援装置であって、ネットワークを通じて接続される端末装置を所有する顧客のデータベースとネットワークを通じて接続されるデータ記憶装置からのデータを記憶する市場データベースとが設けられ、市場データベースから任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして売買プログラムの順位を決定する手段と、決定された順位に従って複数の売買プログラムによるトラックレコードを顧客に提示する手段とを有することにより、顧客のニーズに合わせた選択が行われると共に、顧客はトラックレコードから所望の項目を確認することができるものである。
【００４６】
さらに上述の市場取引支援方法によれば、情報出力手段を有する端末装置と各種市場のデータ記憶装置とサーバシステムとがネットワークを通じて接続されたシステムに用いられる市場取引支援方法であって、データ記憶装置から任意の期間のデータを抽出し、抽出されたデータに基づいて複数の商品としての売買プログラムに従った売買をシミュレートし、シミュレートされた売買の損益結果からトラックレコードを作成すると共に、端末装置に入力される顧客のニーズに応じて複数の売買プログラムによるトラックレコードの所定の項目をソートして売買プログラムの順位を決定し、決定された順位に従って複数の売買プログラムによるトラックレコードを端末装置に提示する手順をサーバシステムに設けることにより、顧客のニーズに合わせた選択が行われると共に、顧客はトラックレコードから所望の項目を確認することができるものである。
【００４７】
また、上述の市場取引支援プログラムによれば、情報出力手段を有する端末装置と各種市場のデータ記憶装置とサーバシステムとがネットワークを通じて接続されたシステムに用いられる市場取引支援プログラムであって、データ記憶装置から任意の期間のデータを抽出する手段と、抽出されたデータに基づいて複数の商品としての売買プログラムに従った売買をシミュレートする手段と、シミュレートされた売買の損益結果からトラックレコードを作成する手段と、端末装置に入力される顧客のニーズに応じて複数の売買プログラムによるトラックレコードの所定の項目をソートして前記売買プログラムの順位を決定する手段と、決定された順位に従って複数の売買プログラムによるトラックレコードを端末装置に提示する手段としての機能を実現させることにより、顧客のニーズに合わせた選択が行われると共に、顧客はトラックレコードから所望の項目を確認することができるものである。
【産業上の利用可能性】
【００４８】
なお本発明は、上述の説明した実施形態に限定されるものではなく、本発明の精神を逸脱することなく種々の変形が可能とされるものである。
【図面の簡単な説明】
【００４９】
【図１】本発明による市場取引支援システム、装置、方法及びプログラムを適用した市場取引支援システムの一実施形態の全体を示す構成図である。
【図２】その動作の説明のための図である。
【図３】そのトラックレコード算出プロセスを示すフローチャート図である。
【図４】その説明のための図である。
【図５】その説明のための図である。
【図６】その説明のための図である。
【図７】その説明のための図である。
【図８】その説明のための図である。
【符号の説明】
【００５０】
１００…情報通信ネットワーク、２０１，２０１，２０２…利用者端末装置、３００…データ記憶装置、１…サーバシステム、１１…ウェブサーバ、１２…アプリケーションサーバ、１３…データベースサーバ、２１…顧客情報のデータベース、２２…市場情報のデータベース、２３…商品情報のデータベース
【図１】
2005182513.tif 000003
【図２】
2005182513.tif 000004
【図３】
2005182513.tif 000005
【図４】
2005182513.tif 000006
【図５】
2005182513.tif 000007
【図６】
2005182513.tif 000008
【図７】
2005182513.tif 000009
【図８】
2005182513.tif 000010